(57)【要約】【課題】  蓄電池が重くなるにつれて、ユーザが、充電ステーションから蓄電池を取り出したり、充電ステーションに蓄電池を収容したりする場合における、ユーザの負担が大きくなる。【解決手段】  高さの異なる位置に配された、蓄電池を収容するための第１収容部及び第２収容部と、第１収容部及び第２収容部のそれぞれへの蓄電池の挿入を補助するための第１ガイド及び第２ガイドとを備える。第１ガイド及び第２ガイドは、それぞれ異なる態様で、蓄電池の挿入を補助する。【選択図】図１
2018160417.tif 000002
【特許請求の範囲】
【請求項１】
高さの異なる位置に配された、蓄電池を収容するための第１収容部及び第２収容部と、
前記第１収容部及び前記第２収容部のそれぞれへの前記蓄電池の挿入を補助するための第１ガイド及び第２ガイドと、
を備え、
前記第１ガイド及び前記第２ガイドは、それぞれ異なる態様で、前記蓄電池の挿入を補助する、
収容装置。
【請求項２】
前記第１収容部の一部には、前記蓄電池の搬入又は搬出に利用可能な大きさの第１開口が形成されており、
前記第２収容部の一部には、前記蓄電池の搬入又は搬出に利用可能な大きさの第２開口が形成されている、
請求項１に記載の収容装置。
【請求項３】
前記第１ガイド及び前記第２ガイドの少なくとも一方は、その少なくとも一部が、前記第１開口及び前記第２開口のうち、対応する開口の周縁部又は当該周縁部の近傍に連結される、
請求項２に記載の収容装置。
【請求項４】
前記第１ガイド及び前記第２ガイドの少なくとも一方は、その少なくとも一部が、前記第１開口及び前記第２開口のうち、対応する開口の周縁部又は当該周縁部の近傍に、回転可能に配される、
請求項２に記載の収容装置。
【請求項５】
前記第１ガイドは、その少なくとも一部が、前記第１開口の周縁部又は当該周縁部の近傍に回転可能に配され、
前記第２ガイドは、その少なくとも一部が、前記第２開口の周縁部又は当該周縁部の近傍に回転可能に配され、
前記収容装置は、
前記第１ガイドの回転量を調整する第１回転量調整部と、
前記第２ガイドの回転量を調整する第２回転量調整部と、
をさらに備え、
前記第１回転量調整部及び前記第２回転量調整部の少なくとも一方は、前記第１ガイド及び前記第２ガイドの回転量が異なるように、対応するガイドの回転量を調整する、
請求項４に記載の収容装置。
【請求項６】
前記第１ガイド及び前記第２ガイドの少なくとも一方は、その少なくとも一部が、前記第１開口及び前記第２開口のうち、対応する開口の周縁部又は当該周縁部の近傍に、並進移動可能に配される、
請求項２に記載の収容装置。
【請求項７】
前記第１ガイドは、その少なくとも一部が、前記第１開口の周縁部又は当該周縁部の近傍に並進移動可能に配され、
前記第２ガイドは、その少なくとも一部が、前記第２開口の周縁部又は当該周縁部の近傍に並進移動可能に配され、
前記収容装置は、
前記第１ガイドの移動量を調整する第１移動量調整部と、
前記第２ガイドの移動量を調整する第２移動量調整部と、
をさらに備え、
前記第１移動量調整部及び前記第２移動量調整部の少なくとも一方は、前記第１ガイド及び前記第２ガイドの移動量が異なるように、対応するガイドの移動量を調整する、
請求項６に記載の収容装置。
【請求項８】
前記第１ガイド及び前記第２ガイドの形状及び大きさが略同一である、
請求項４から請求項７までの何れか一項に記載の収容装置。
【請求項９】
前記第１開口を開閉可能に構成された第１蓋部、及び、前記第２開口を開閉可能に構成された第２蓋部の少なくとも一方を有する、
請求項２から請求項８までの何れか一項に記載の収容装置。
【請求項１０】
前記第１ガイドが前記第１蓋部を含む、及び／又は、前記第２ガイドが前記第２蓋部を含む、
請求項９に記載の収容装置。
【請求項１１】
前記第１ガイド及び前記第２ガイドは、（ｉ）ガイドの形状、（ｉｉ）ガイドの寸法、（ｉｉｉ）ガイドが前記蓄電池を保持する方式、及び、（ｉｖ）ガイドにより補助された前記蓄電池の動線の少なくとも１つが異なる、
請求項１から請求項１０までの何れか一項に記載の収容装置。
【請求項１２】
前記第１ガイド及び前記第２ガイドは、（ｉ）前記蓄電池の挿入を補助するための領域の寸法、（ｉｉ）前記蓄電池が当接する面の形状、（ｉｉｉ）ガイドに設けられたガイド溝の形状、及び、（ｉｖ）ガイドに設けられたガイド溝の寸法の少なくとも１つが異なる、
請求項１１に記載の収容装置。
【請求項１３】
前記第１ガイド及び前記第２ガイドの少なくとも一方は、前記蓄電池を保持する蓄電池保持部を有する、
請求項１から請求項１２までの何れか一項に記載の収容装置。
【請求項１４】
前記第１ガイドの前記蓄電池保持部の内面の形状と、前記第２ガイドの前記蓄電池保持部の内面の形状とが異なる、
請求項１３に記載の収容装置。
【請求項１５】
前記蓄電池を充電する充電部をさらに備える、
請求項１から請求項１４までの何れか一項に記載の収容装置。
【発明の詳細な説明】
【技術分野】
【０００１】
本発明は、収容装置に関する。
【背景技術】
【０００２】
例えば、電動バイク用の蓄電池を格納し、電動バイクのユーザに、充電が完了した蓄電池を提供する充電ステーションが知られている（例えば、特許文献１を参照されたい）。
［先行技術文献］
［特許文献］
［特許文献１］  特表２０１６−５１４３５７号公報
【発明の概要】
【発明が解決しようとする課題】
【０００３】
蓄電池が重くなるにつれて、ユーザが、充電ステーションから蓄電池を取り出したり、充電ステーションに蓄電池を収容したりする場合における、ユーザの負担が大きくなる。
【課題を解決するための手段】
【０００４】
本発明の第１の態様においては、収容装置が提供される。上記の収容装置は、例えば、蓄電池を収容するための第１収容部を備える。上記の収容装置は、例えば、蓄電池を収容するための第２収容部を備える。上記の収容装置において、第１収容部及び第２収容部は、高さの異なる位置に配されてよい。上記の収容装置は、例えば、第１収容部への蓄電池の挿入を補助するための第１ガイドを備える。上記の収容装置は、例えば、第２収容部への蓄電池の挿入を補助するための第２ガイドを備える。上記の収容装置において、第１ガイド及び第２ガイドは、それぞれ異なる態様で、蓄電池の挿入を補助してよい。
【０００５】
上記の収容装置において、第１収容部の一部には、蓄電池の搬入又は搬出に利用可能な大きさの第１開口が形成されていてよい。上記の収容装置において、第２収容部の一部には、蓄電池の搬入又は搬出に利用可能な大きさの第２開口が形成されていてよい。上記の収容装置において、第１ガイド及び第２ガイドの少なくとも一方は、その少なくとも一部が、第１開口及び第２開口のうち、対応する開口の周縁部又は当該周縁部の近傍に連結されてよい。
【０００６】
上記の収容装置において、第１ガイド及び第２ガイドの少なくとも一方は、その少なくとも一部が、第１開口及び第２開口のうち、対応する開口の周縁部又は当該周縁部の近傍に、回転可能に配されてよい。上記の収容装置において、第１ガイドが、その少なくとも一部が、第１開口の周縁部又は当該周縁部の近傍に回転可能に配され、第２ガイドが、その少なくとも一部が、第２開口の周縁部又は当該周縁部の近傍に回転可能に配されてよい。上記の収容装置は、第１ガイドの回転量を調整する第１回転量調整部を備えてよい。上記の収容装置は、第２ガイドの回転量を調整する第２回転量調整部を備えてよい。上記の収容装置において、第１回転量調整部及び第２回転量調整部の少なくとも一方は、第１ガイド及び第２ガイドの回転量が異なるように、対応するガイドの回転量を調整してよい。
【０００７】
上記の収容装置において、第１ガイド及び第２ガイドの少なくとも一方は、その少なくとも一部が、第１開口及び第２開口のうち、対応する開口の周縁部又は当該周縁部の近傍に、並進移動可能に配されてよい。上記の収容装置において、第１ガイドが、その少なくとも一部が、第１開口の周縁部又は当該周縁部の近傍に並進移動可能に配され、第２ガイドが、その少なくとも一部が、第２開口の周縁部又は当該周縁部の近傍に並進移動可能に配されてよい。上記の収容装置は、第１ガイドの移動量を調整する第１移動量調整部を備えてよい。上記の収容装置は、第２ガイドの移動量を調整する第２移動量調整部を備えてよい。上記の収容装置において、第１移動量調整部及び第２移動量調整部の少なくとも一方は、第１ガイド及び第２ガイドの移動量が異なるように、対応するガイドの移動量を調整してよい。
【０００８】
上記の収容装置において、第１ガイド及び第２ガイドの形状及び大きさは、略同一であってよい。上記の収容装置は、第１開口を開閉可能に構成された第１蓋部、及び、第２開口を開閉可能に構成された第２蓋部の少なくとも一方を有してよい。上記の収容装置において、第１ガイドが第１蓋部を含んでもよい。上記の収容装置において、第２ガイドが第２蓋部を含んでもよい。上記の収容装置において、第１ガイドが第１蓋部を含み、且つ、第２ガイドが第２蓋部を含んでもよい。
【０００９】
上記の収容装置において、第１ガイド及び第２ガイドは、（ｉ）ガイドの形状、（ｉｉ）ガイドの寸法、（ｉｉｉ）ガイドが蓄電池を保持する方式、及び、（ｉｖ）ガイドにより補助された蓄電池の動線の少なくとも１つが異なってよい。上記の収容装置において、第１ガイド及び第２ガイドは、（ｉ）蓄電池の挿入を補助するための領域の寸法、（ｉｉ）蓄電池が当接する面の形状、（ｉｉｉ）ガイドに設けられたガイド溝の形状、及び、（ｉｖ）ガイドに設けられたガイド溝の寸法の少なくとも１つが異なってもよい。
【００１０】
上記の収容装置は、第１ガイド及び第２ガイドの少なくとも一方は、蓄電池を保持する蓄電池保持部を有してよい。上記の収容装置において、第１ガイドの蓄電池保持部の内面の形状と、第２ガイドの蓄電池保持部の内面の形状とが異なってよい。上記の収容装置は、蓄電池を充電する充電部を備えてよい。
【００１１】
なお、上記の発明の概要は、本発明の必要な特徴の全てを列挙したものではない。また、これらの特徴群のサブコンビネーションもまた、発明となりうる。
【図面の簡単な説明】
【００１２】
【図１】収容装置１００の一例を概略的に示す。
【図２】バッテリステーション２００の一例を概略的に示す。
【図３】収容ボックス２１０の一例を概略的に示す。
【図４】収容ボックス４１０の一例を概略的に示す。
【図５】ガイド部材４４２及び開度調整部４７２の一例を概略的に示す。
【図６】ガイド部材４４２及び開度調整部４７２の他の例を概略的に示す。
【図７】収容ボックス７１０の一例を概略的に示す。
【図８】収容ボックス８１０の一例を概略的に示す。
【図９】ガイド部材８４２及びスライド量調整部８７２の一例を概略的に示す。
【図１０】収容ボックス１０１０の一例を概略的に示す。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１４】
図１は、収容装置１００の一例を概略的に示す。図１は、収容装置１００の断面の一例であってよい。本実施形態において、収容装置１００は、例えば、第１収容部１２２を備える。第１収容部１２２の一部には、蓄電池１０の搬入又は搬出に利用可能な大きさを有する第１開口１３２が形成されていてよい。本実施形態において、収容装置１００は、例えば、第２収容部１２４を備える。第２収容部１２４の一部には、蓄電池１０の搬入又は搬出に利用可能な大きさを有する第２開口１３４が形成されていてよい。第１収容部１２２及び第２収容部１２４は、高さの異なる位置に配されてよい。本実施形態において、第１収容部１２２は、第２収容部１２４よりも高い位置に配される。第１収容部１２２及び第２収容部１２４は、同一の筐体に配されてもよい。なお、収容装置１００は、設置高さの異なる３以上の収容部を備えてもよい。
【００１５】
第１収容部１２２及び第２収容部１２４のそれぞれは、蓄電池１０を収容するための空間を有する。蓄電池１０の種類は特に限定されない。蓄電池１０は任意の種類の二次電池であってよい。蓄電池１０は、可搬式の蓄電池であってよい。蓄電池１０の大きさ及び質量は特に限定されない。蓄電池１０は、１ｋｇ以上であってもよく、３ｋｇ以上であってもよく、５ｋｇ以上であってもよく、１０ｋｇ以上であってもよい。
【００１６】
本実施形態において、収容装置１００は、例えば、第１ガイド１４２を備える。第１ガイド１４２は、第１収容部１２２への蓄電池１０の挿入を補助するために利用される。なお、収容装置１００が第１ガイド１４２を備えない場合、第１開口１３２の周縁部１６２が、第１ガイドとして機能してよい。収容装置１００は、第１ガイド１４２を移動又は回転させるための機械的な機構（図示されていない。）を有してもよい。収容装置１００は、第１ガイド１４２を移動又は回転させるための動力源（図示されていない。例えば、モータ、アクチュエータなどである。）を有してもよい。
【００１７】
第１ガイド１４２は、少なくとも一部が、第１開口１３２の周縁部１６２又は周縁部１６２の近傍に連結されてよい。一実施形態によれば、第１ガイド１４２は、少なくとも一部が、第１開口１３２の周縁部１６２又は周縁部１６２の近傍に固定される。他の実施形態によれば、第１ガイド１４２は、少なくとも一部が、第１開口１３２の周縁部１６２又は周縁部１６２の近傍に並進移動可能に配される。例えば、第１ガイド１４２は、第１収容部１２２の内面に沿ってスライドする。例えば、第１ガイド１４２は、通常時は、第１収容部１２２の内部に収容されている。そして、蓄電池１０が第１収容部１２２の内部に挿入されるときに、第１ガイド１４２が、第１収容部１２２の底面又は側面に沿ってスライドして、第１ガイド１４２の少なくとも一部が、第１収容部１２２の外部に突出する。第１ガイド１４２の突出部分は、蓄電池１０の挿入を補助するために利用される。蓄電池１０が第１収容部１２２の内部に収容されるとともに、又は、蓄電池１０が第１収容部１２２の内部に収容された後、第１ガイド１４２も、第１収容部１２２の内部に収容されてよい。
【００１８】
さらに他の実施形態によれば、第１ガイド１４２は、少なくとも一部が、第１開口１３２の周縁部１６２又は周縁部１６２の近傍に回転可能に配される。第１ガイド１４２は、任意の回転軸を中心として回転してよい。例えば、第１ガイド１４２は、鉛直方向又は収容装置１００の高さ方向に垂直な回転軸を中心として回転する。第１ガイド１４２は、鉛直方向又は収容装置１００の高さ方向に平行な回転軸を中心として回転してもよい。例えば、第１ガイド１４２は、通常時は、第１収容部１２２の内部に収容されている。そして、蓄電池１０が第１収容部１２２の内部に挿入されるときに、第１ガイド１４２が、第１ガイド１４２及び周縁部１６２の連結部分を中心に回転して、第１ガイド１４２の少なくとも一部が、第１収容部１２２の外部に突出する。第１ガイド１４２の突出部分は、蓄電池１０の挿入を補助するために利用される。蓄電池１０が第１収容部１２２の内部に収容されるとともに、又は、蓄電池１０が第１収容部１２２の内部に収容された後、第１ガイド１４２も、第１収容部１２２の内部に収容されてよい。
【００１９】
本実施形態において、収容装置１００は、例えば、第２ガイド１４４を備える。第２ガイド１４４は、第２収容部１２４への蓄電池１０の挿入を補助するために利用される。収容装置１００が第２ガイド１４４を備えない場合、第２開口１３４の周縁部１６４が第２ガイドとして機能してよい。収容装置１００は、第２ガイド１４４を移動又は回転させるための機械的な機構（図示されていない。）を有してもよい。収容装置１００は、第２ガイド１４４を移動又は回転させるための動力源（図示されていない。例えば、モータ、アクチュエータなどである。）を有してもよい。
【００２０】
第２ガイド１４４は、少なくとも一部が、第２開口１３４の周縁部１６４又は周縁部１６４の近傍に連結されてよい。一実施形態によれば、第２ガイド１４４は、少なくとも一部が、第２開口１３４の周縁部１６４又は周縁部１６４の近傍に固定される。他の実施形態によれば、第２ガイド１４４は、少なくとも一部が、第２開口１３４の周縁部１６４又は周縁部１６４の近傍に並進移動可能に配される。例えば、第２ガイド１４４は、第２収容部１２４の内面に沿ってスライドする。例えば、第２ガイド１４４は、通常時は、第２収容部１２４の内部に収容されている。そして、蓄電池１０が第２収容部１２４の内部に挿入されるときに、第２ガイド１４４が、第２収容部１２４の底面又は側面に沿ってスライドして、第２ガイド１４４の少なくとも一部が、第２収容部１２４の外部に突出する。第２ガイド１４４の突出部分は、蓄電池１０の挿入を補助するために利用される。蓄電池１０が第２収容部１２４の内部に収容されるとともに、又は、蓄電池１０が第２収容部１２４の内部に収容された後、第２ガイド１４４も、第２収容部１２４の内部に収容されてよい。
【００２１】
さらに他の実施形態によれば、第２ガイド１４４は、少なくとも一部が、第２開口１３４の周縁部１６４又は周縁部１６４の近傍に回転可能に配される。第２ガイド１４４は、任意の回転軸を中心として回転してよい。例えば、第２ガイド１４４は、鉛直方向又は収容装置１００の高さ方向に垂直な回転軸を中心として回転する。第２ガイド１４４は、鉛直方向又は収容装置１００の高さ方向に平行な回転軸を中心として回転してもよい。例えば、第２ガイド１４４は、通常時は、第２収容部１２４の内部に収容されている。そして、蓄電池１０が第２収容部１２４の内部に挿入されるときに、第２ガイド１４４が、第２ガイド１４４及び周縁部１６４の連結部分を中心に回転して、第２ガイド１４４の少なくとも一部が、第２収容部１２４の外部に突出する。第２ガイド１４４の突出部分は、蓄電池１０の挿入を補助するために利用される。蓄電池１０が第２収容部１２４の内部に収容されるとともに、又は、蓄電池１０が第２収容部１２４の内部に収容された後、第２ガイド１４４も、第２収容部１２４の内部に収容されてよい。
【００２２】
本実施形態において、第１ガイド１４２及び第２ガイド１４４は、それぞれ異なる態様で、蓄電池１０の挿入を補助する。一実施形態において、第１ガイド１４２及び第２ガイド１４４は、（ｉ）ガイドの形状、（ｉｉ）ガイドの寸法、（ｉｉｉ）ガイドが蓄電池１０を保持する方式（保持方式と称する場合がある。）、及び、（ｉｖ）ガイドにより補助された前記蓄電池の動線の少なくとも１つにおいて異なる。
【００２３】
他の実施形態において、第１ガイド１４２及び第２ガイド１４４が回転可能に配されている場合、第１ガイド１４２が回転できる範囲と、第２ガイド１４４が回転できる範囲とが異なってもよい。さらに他の実施形態において、第１ガイド１４２及び第２ガイド１４４が並進移動可能に配されている場合、第１ガイド１４２がスライドできる範囲と、第２ガイド１４４がスライドできる範囲とが異なってもよい。これにより、第１ガイド１４２及び第２ガイド１４４は、異なる態様で１０の挿入を補助することができる。
【００２４】
本実施形態において、第１ガイド１４２及び第２ガイド１４４の長さが異なる。具体的には、第２ガイド１４４は、第１ガイド１４２よりも長い。例えば、ユーザは、蓄電池１０を第１開口１３２の高さまで持ち上げて、蓄電池１０の一端を第１ガイド１４２に乗せた後、蓄電池１０を第１収容部１２２の内部に押し込む。また、ユーザは、蓄電池１０を第２ガイド１４４に乗せた後、蓄電池１０を第２収容部１２４の内部に押し込む。第１開口１３２及び第１ガイド１４２は、比較的高い位置にあるので、第１ガイド１４２の長さが短い方が、蓄電池１０のハンドリング性が向上する。
【００２５】
この場合において、第１ガイド１４２及び第２ガイド１４４の高さ及び長さが異なるので、（ｉ）蓄電池１０の一端が第１ガイド１４２の特定の面（当接面と称する場合がある。）に接触するときに、蓄電池１０及び第１ガイド１４２の当接面がなす角度、及び、（ｉｉ）蓄電池１０の一端が第２ガイド１４４の特定の面（当接面と称する場合がある。）に接触するときに、蓄電池１０及び第２ガイド１４４の当接面がなす角度も異なる。そのため、（ｉ）蓄電池１０が、第１ガイド１４２と接触してから、第１収容部１２２の予め定められた位置に収容されるまでの動線、及び、（ｉｉ）蓄電池１０が、第２ガイド１４４と接触してから第２収容部１２４の予め定められた位置に収容されるまでの動線も異なる。このように、第１ガイド１４２及び第２ガイド１４４は、異なる態様で１０の挿入を補助することができる。
【００２６】
例えば、蓄電池１０のユーザが蓄電池１０を第１収容部１２２に挿入するときと、当該ユーザが蓄電池１０を第２収容部１２４に挿入するときとでは、当該ユーザの姿勢が異なる可能性がある。一方、第１収容部１２２及び第２収容部１２４の形状、第１開口１３２及び第２開口１３４の位置及び形状などを、上記のユーザの姿勢に合わせて設計しようとすると、収容装置１００の製造コストが増加したり、収容装置１００のデッドスペースが増加したりする可能性がある。
【００２７】
これに対して、本実施形態によれば、第１ガイド１４２及び第２ガイド１４４が、それぞれ異なる態様で、蓄電池１０の挿入を補助する。例えば、第１ガイド１４２及び第２ガイド１４４は、ユーザが蓄電池１０を第１収容部１２２又は第２収容部１２４に挿入する動作を、第１収容部１２２及び第２収容部１２４のそれぞれの高さに応じた態様で補助する。これにより、ユーザは、比較的楽な姿勢で蓄電池１０を第１収容部１２２又は第２収容部１２４に挿入することができる。その結果、ユーザの肉体的な負担が軽減され得る。
【００２８】
図２及び図３を用いて、バッテリステーション２００の一例について説明する。図２は、バッテリステーション２００の一例を概略的に示す。図２に示されるとおり、本実施形態において、バッテリステーション２００は、例えば、筐体２０２と、筐体２０２に配された１以上の収容ボックス２１０とを備える。バッテリステーション２００は、高さの異なる位置に配された１以上の収容ボックス２１０を備えてよい。例えば、バッテリステーション２００は、上段に配された１以上の収容ボックス２２２と、下段に配された１以上の収容ボックス２２４とを備える。バッテリステーション２００は、センサ２３０と、充電装置２４０と、制御装置２５０とを備えてもよい。なお、バッテリステーション２００は、設置高さの異なる３以上の収容ボックスを備えてもよい。
【００２９】
バッテリステーション２００は、収容装置の一例であってよい。収容ボックス２２２及び収容ボックス２２４の一方は、第１収容部及び第２収容部の一方の一例であってよい。収容ボックス２２２及び収容ボックス２２４の他方は、第１収容部及び第２収容部の他方の一例であってよい。充電装置２４０は、充電部の一例であってよい。
【００３０】
本実施形態において、１以上の収容ボックス２１０のそれぞれは、モバイルバッテリ２０を収容する。１以上の収容ボックス２１０のそれぞれの内部には、モバイルバッテリ２０を収容するための空間が形成されている。１以上の収容ボックス２１０のそれぞれは、上記の空間に、単一のモバイルバッテリ２０を収容してもよく、複数のモバイルバッテリ２０を収容してもよい。モバイルバッテリ２０は、蓄電池の一例であってよい。
【００３１】
モバイルバッテリ２０の種類は特に限定されない。モバイルバッテリ２０は任意の種類の二次電池であってよい。モバイルバッテリ２０は可搬式の蓄電池であってよい。モバイルバッテリ２０の大きさ及び質量は特に限定されない。モバイルバッテリ２０は、１ｋｇ以上であってもよく、３ｋｇ以上であってもよく、５ｋｇ以上であってもよく、１０ｋｇ以上であってもよい。モバイルバッテリ２０は、少なくとも１つの面に、ユーザがモバイルバッテリ２０を把持するためのハンドル２２を有してよい。
【００３２】
本実施形態において、センサ２３０は、バッテリステーション２００及びモバイルバッテリ２０の少なくとも一方に関する各種の物理量を測定する。センサ２３０は、バッテリステーション２００及びモバイルバッテリ２０の少なくとも一方の状態を示す情報を取得する。例えば、センサ２３０は、１以上の収容ボックス２１０の少なくとも１つについて、蓋又は扉の開閉を検出する。センサセンサ２３０は、１以上の収容ボックス２１０の少なくとも１つに、モバイルバッテリ２０が挿入されたことを検出してもよい。
【００３３】
本実施形態において、充電装置２４０は、１以上の収容ボックス２１０のそれぞれに収容された、１以上のモバイルバッテリ２０のそれぞれを充電する。本実施形態において、制御装置２５０は、バッテリステーション２００を制御する。一実施形態において、制御装置２５０は、バッテリステーション２００の状態を管理する。例えば、制御装置２５０は、センサ２３０の測定データを取得する。他の実施形態において、制御装置２５０は、バッテリステーション２００の動作を制御する。例えば、制御装置２５０は、１以上の収容ボックス２１０の蓋又は扉の開閉を制御する。制御装置２５０は、充電装置２４０を制御してもよい。
【００３４】
［制御装置２５０の各部の具体的な構成］
制御装置２５０の各部は、ハードウェアにより実現されてもよく、ソフトウエアにより実現されてもよく、ハードウェア及びソフトウエアにより実現されてもよい。制御装置２５０の各部は、その少なくとも一部が、単一のサーバによって実現されてもよく、複数のサーバによって実現されてもよい。制御装置２５０の各部は、その少なくとも一部が、仮想サーバ上又はクラウドシステム上で実現されてもよい。制御装置２５０の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。制御装置２５０の各部は、ブロックチェーンなどの分散型台帳技術又は分散型ネットワークを利用して、情報を格納してもよい。
【００３５】
制御装置２５０を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機などの入力装置と、（ｉｉｉ）表示装置、音声出力装置、振動装置などの出力装置と、（ｉｖ）メモリ、ＨＤＤ、ＳＳＤなどの記憶装置（外部記憶装置を含む。）とを備えてよい。
【００３６】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、制御装置２５０又はその一部として機能させるためのプログラムであってよい。上記のソフトウエア又はプログラムは、コンピュータに、制御装置２５０又はその一部における情報処理を実行させるためのプログラムであってよい。
【００３７】
［ガイド部材が固定される実施形態］
図３は、収容ボックス２１０の一例を概略的に示す。図３は、例えば、図２のＡ−Ａ'断面の一例を示す。図３に示されるとおり、本実施形態において、収容ボックス２２２の一部には、開口３３２が形成されている。開口３３２は、モバイルバッテリ２０の搬入又は搬出に利用可能な大きさを有してよい。また、開口３３２の周縁部３６２又は周縁部３６２の近傍には、ガイド部材３４２が配される。本実施形態において、収容ボックス２２４の一部には、開口３３４が形成されている。開口３３４は、モバイルバッテリ２０の搬入又は搬出に利用可能な大きさを有してよい。また、開口３３４の周縁部３６４又は周縁部３６４の近傍には、ガイド部材３４４が配される。
【００３８】
ガイド部材３４２及びガイド部材３４４の一方は、第１ガイドの一例であってよい。ガイド部材３４２及びガイド部材３４４の他方は、第２ガイドの一例であってよい。周縁部３６２は、第１ガイド又は第２ガイドの一例であってよい。周縁部３６４は、第２ガイド又は第２ガイドの一例であってよい。
【００３９】
一実施形態において、周縁部３６２又は周縁部３６２の近傍にガイド部材３４２が配されない場合、周縁部３６２及びガイド部材３４４の一方は第１ガイドの一例であってよく、周縁部３６２及びガイド部材３４４の他方は第１ガイドの一例であってよい。他の実施形態において、周縁部３６４又は周縁部３６４の近傍にガイド部材３４４が配されない場合、周縁部３６４及びガイド部材３４２の一方は第１ガイドの一例であってよく、周縁部３６４及びガイド部材３４２の他方は第１ガイドの一例であってよい。
【００４０】
本実施形態において、ガイド部材３４２は、収容ボックス２２２へのモバイルバッテリ２０の挿入を補助するために利用される。例えば、ユーザがモバイルバッテリ２０を収容ボックス２２２に挿入するときに、ガイド部材３４２は、モバイルバッテリ２０の一部を支持する。本実施形態において、ガイド部材３４２は、周縁部３６２又はその近傍に連結される。例えば、ガイド部材３４２は、周縁部３６２に固定される。
【００４１】
本実施形態において、ガイド部材３４４は、収容ボックス２２４へのモバイルバッテリ２０の挿入を補助するために利用される。例えば、ユーザがモバイルバッテリ２０を収容ボックス２２４に挿入するときに、ガイド部材３４４は、モバイルバッテリ２０の一部を支持する。本実施形態において、ガイド部材３４４は、周縁部３６４又はその近傍に連結される。例えば、ガイド部材３４４は、周縁部３６４に固定される。
【００４２】
本実施形態において、ガイド部材３４２及びガイド部材３４４の大きさ及び形状が異なる。そのため、モバイルバッテリ２０が収容ボックス２２２に挿入されるときのモバイルバッテリ２０の動線と、モバイルバッテリ２０が収容ボックス２２４に挿入されるときのモバイルバッテリ２０の動線とが異なる。
【００４３】
以上のとおり、ガイド部材３４２及びガイド部材３４４は、それぞれ異なる態様で、モバイルバッテリ２０の挿入を補助する。これにより、ユーザは、比較的楽な姿勢で、モバイルバッテリ２０を収容ボックス２２２又は収容ボックス２２４に挿入することができる。その結果、ユーザの肉体的な負担が軽減され得る。
【００４４】
本実施形態においては、ガイド部材３４２が周縁部３６２又はその近傍に固定される場合について説明した。しかしながら、ガイド部材３４２は本実施形態に限定されない。他の実施形態において、ガイド部材３４２は、少なくとも一部が、周縁部３６２又はその近傍に並進移動可能に配される。例えば、ガイド部材３４２は、収容ボックス２２２の内面に沿ってスライドする。さらに他の実施形態において、ガイド部材３４２は、少なくとも一部が、周縁部３６２又はその近傍に回転可能に配される。ガイド部材３４２は、任意の回転軸を中心として回転してよい。
【００４５】
本実施形態においては、ガイド部材３４４が周縁部３６４又はその近傍に固定される場合について説明した。しかしながら、ガイド部材３４４は本実施形態に限定されない。他の実施形態において、ガイド部材３４４は、少なくとも一部が、周縁部３６４又はその近傍に並進移動可能に配される。例えば、ガイド部材３４４は、収容ボックス２２４の内面に沿ってスライドする。さらに他の実施形態において、ガイド部材３４４は、少なくとも一部が、周縁部３６４又はその近傍に回転可能に配される。ガイド部材３４４は、任意の回転軸を中心として回転してよい。
【００４６】
本実施形態においては、周縁部３６２にガイド部材３４２が配される場合について説明した。しかしながら、バッテリステーション２００は本実施形態に限定されない。他の実施形態において、バッテリステーション２００はガイド部材３４２を備えなくてもよい。この場合、周縁部３６２が、収容ボックス２２２へのモバイルバッテリ２０の挿入を補助するために利用されてもよい。例えば、ユーザがモバイルバッテリ２０を収容ボックス２２２に挿入するときに、周縁部３６２は、モバイルバッテリ２０の一部を支持する。
【００４７】
本実施形態においては、周縁部３６４にガイド部材３４４が配される場合について説明した。しかしながら、バッテリステーション２００は本実施形態に限定されない。他の実施形態において、バッテリステーション２００はガイド部材３４４を備えなくてもよい。この場合、周縁部３６４が、収容ボックス２２４へのモバイルバッテリ２０の挿入を補助するために利用されてもよい。例えば、ユーザがモバイルバッテリ２０を収容ボックス２２４に挿入するときに、周縁部３６４は、モバイルバッテリ２０の一部を支持する。
【００４８】
本実施形態においては、ガイド部材３４２及びガイド部材３４４の大きさ及び形状が異なることにより、ガイド部材３４２及びガイド部材３４４が、異なる態様で蓄電池の挿入を補助する場合について説明した。しかしながら、ガイド部材３４２及びガイド部材３４４は、本実施形態に限定されない。他の実施形態において、ガイド部材３４２及びガイド部材３４４の大きさ及び形状の一方が異なってもよい。
【００４９】
本実施形態において、ガイド部材３４２及びガイド部材３４４の詳細は、（ｉ）ガイドの形状、（ｉｉ）ガイドの寸法、及び、（ｉｉｉ）ガイドがモバイルバッテリ２０を保持する方式、（ｉｖ）ガイドにより補助されたモバイルバッテリ２０の動線の少なくとも１つが異なるように決定される。ガイド部材３４２及びガイド部材３４４の詳細は、（ｉ）モバイルバッテリ２０の挿入を補助するための領域の寸法、（ｉｉ）モバイルバッテリ２０が当接する面の形状、（ｉｉｉ）ガイドに設けられたガイド溝の形状、及び、（ｉｖ）ガイドに設けられたガイド溝の寸法の少なくとも１つが異なるように決定されてもよい。
【００５０】
一実施形態によれば、ガイド部材３４２に補助されたモバイルバッテリ２０の動線と、ガイド部材３４４に補助されたモバイルバッテリ２０の動線とが異なるように、ガイド部材３４２及びガイド部材３４４の形状及び寸法が決定される。他の実施形態によれば、ガイド部材３４２に補助されたモバイルバッテリ２０の動線と、ガイド部材３４４に補助されたモバイルバッテリ２０の動線とが異なるように、モバイルバッテリ２０を保持する保持部材の形状、寸法及び設置位置の少なくとも１つが決定される。
【００５１】
［ガイド部材が回転可能に配される実施形態］
図４、図５及び図６を用いて、収容ボックス４１０について説明する。図４は、収容ボックス４１０の一例を概略的に示す。本実施形態において、収容ボックス４１０は、ガイド部材４４２と、開度調整部４７２と、ガイド部材４４４と、開度調整部４７４とを備える。
【００５２】
ガイド部材４４２及びガイド部材４４４の一方は、第１ガイドの一例であってよい。ガイド部材４４２及びガイド部材４４４の他方は、第２ガイドの一例であってよい。開度調整部４７２及び開度調整部４７４の一方は、第１回転量調整部の一例であってよい。開度調整部４７２及び開度調整部４７４の他方は、第２回転量調整部の一例であってよい。
【００５３】
本実施形態において、ガイド部材４４２は、少なくとも一部が周縁部３６２又はその近傍に回転可能に配される点で、ガイド部材３４２と相違する。本実施形態において、ガイド部材４４２は、鉛直方向又はバッテリステーション２００の高さ方向（図中、上下方向である。）に垂直な回転軸を中心として回転する。例えば、ガイド部材４４２は、モバイルバッテリ２０が収容ボックス２２２に挿入される前に、収容ボックス２２２の内側から外側に向かって回転する。これにより、ガイド部材４４２は、モバイルバッテリ２０の収容ボックス２２２への挿入を補助することができる。一方、モバイルバッテリ２０が収容ボックス２２２に挿入された後、ガイド部材４４２は、収容ボックス２２２の外側から内側に向かって回転してよい。上記の相違点以外について、ガイド部材４４２はガイド部材３４２と同様の構成を有してよい。
【００５４】
本実施形態において、ガイド部材４４４は、少なくとも一部が周縁部３６４又はその近傍に回転可能に配される点で、ガイド部材３４４と相違する。本実施形態において、ガイド部材４４４は、鉛直方向又はバッテリステーション２００の高さ方向（図中、上下方向である。）に垂直な回転軸を中心として回転する。例えば、ガイド部材４４４は、モバイルバッテリ２０が収容ボックス２２４に挿入される前に、収容ボックス２２４の内側から外側に向かって回転する。これにより、ガイド部材４４４は、モバイルバッテリ２０の収容ボックス２２４への挿入を補助することができる。一方、モバイルバッテリ２０が収容ボックス２２４に挿入された後、ガイド部材４４４は、収容ボックス２２４の外側から内側に向かって回転してよい。上記の相違点以外について、ガイド部材４４２はガイド部材３４４と同様の構成を有してよい。
【００５５】
一実施形態において、ガイド部材４４２及びガイド部材４４４は、実質的に同一の形状及び寸法を有してもよい。例えば、製造誤差、使用損耗による誤差などを除けば、ガイド部材４４２及びガイド部材４４４の間に、モバイルバッテリ２０の動線に影響を与える箇所の形状及び寸法に相違点がない場合、ガイド部材４４２及びガイド部材４４４の形状及び寸法が実質的に同一であると判断されてよい。他の実施形態において、ガイド部材４４２及びガイド部材４４４の形状及び寸法の少なくとも一方が相違してもよい。
【００５６】
一実施形態において、ガイド部材４４２及びガイド部材４４４は、電気、圧縮空気など動力源として回転してもよい。例えば、ガイド部材４４２及びガイド部材４４４は、アクチュエータ、モータなどの動力源を利用して回転してよい。例えば、センサ２３０が、モバイルバッテリ２０の収容工程が開始されることを検出した場合、制御装置２５０が、上記の動力源を制御して、ガイド部材４４２及びガイド部材４４４を任意の位置まで回転させる。上記の任意の位置は、予め定められた位置であってもよい。他の実施形態において、ガイド部材４４２及びガイド部材４４４は、開口３３２及び開口３３４に設けられた蓋又は扉の開閉により生じる回転力を利用して回転してもよい。ガイド部材４４２及びガイド部材４４４は、例えば、上記の回転力を駆動力に変換する機械的な機構を利用して回転してもよい。機械的な機構としては、動力伝達機構、差動駆動機構などを例示することができる。
【００５７】
本実施形態において、開度調整部４７２は、ガイド部材４４２の回転量を調整する。例えば、開度調整部４７２は、ガイド部材４４２の回転可能な範囲を制限する。これにより、ユーザがモバイルバッテリ２０を収容ボックス２２２に挿入するときに、ガイド部材４４２が予め定められた位置に（又は予め定められた姿勢で）配置される。本実施形態において、開度調整部４７４は、ガイド部材４４４の回転量を調整する。例えば、開度調整部４７４は、ガイド部材４４４の回転可能な範囲を制限する。これにより、ユーザがモバイルバッテリ２０を収容ボックス２２４に挿入するときに、ガイド部材４４４が予め定められた位置に（又は予め定められた姿勢で）配置される。
【００５８】
開度調整部４７２及び開度調整部４７４の少なくとも一方は、ガイド部材４４２及びガイド部材４４４の回転量が異なるように、対応するガイド部材の回転量を調整してよい。例えば、（ｉ）ガイド部材及び／又は収容ボックスにおける開度調整部の取り付け位置、（ｉｉ）開度調整部の大きさ又は種類、（ｉｉｉ）開度調整部の設定、（ｉｖ）制御装置２５０による開度調整部の制御量などを調整することにより、ガイド部材の回転量を調整することができる。開度調整部４７２及び開度調整部４７４の少なくとも一方は、ガイド部材４４２のガイド位置における姿勢と、ガイド部材４４４のガイド位置における姿勢とが異なるように、対応するガイド部材の回転量を調整してもよい。各ガイド部材の回転量は、例えば、各ガイド部材の設置高さに応じて決定される。例えば、ガイド部材（例えば、平坦な当接面を有するガイド部材である。）の回転量は、当該ガイド部材の設置高さが高くなるほど大きくなる（つまり、ガイド部材のガイド位置における姿勢は、水平に近くなる）。各ガイド部材の回転量は、例えば、各ガイド部材の形状及び大きさの少なくとも一方と、各ガイドの設置高さとに応じて決定されてもよい。
【００５９】
本実施形態において、ガイド部材４４２及びガイド部材４４４の回転量が異なる。そのため、例えば、ガイド部材４４２のガイド位置における姿勢と、ガイド部材４４２のガイド位置における姿勢とが異なる。その結果、モバイルバッテリ２０が収容ボックス２２２に挿入されるときのモバイルバッテリ２０の動線と、モバイルバッテリ２０が収容ボックス２２４に挿入されるときのモバイルバッテリ２０の動線とが異なる。
【００６０】
以上のとおり、ガイド部材４４２及びガイド部材４４４は、それぞれ異なる態様で、モバイルバッテリ２０の挿入を補助する。これにより、ユーザは、比較的楽な姿勢で、モバイルバッテリ２０を収容ボックス２２２又は収容ボックス２２４に挿入することができる。その結果、ユーザの肉体的な負担が軽減され得る。
【００６１】
開度調整部４７２及び開度調整部４７４は、実質的に同一の形状及び寸法を有してもよい。例えば、開度調整部４７２及び開度調整部４７４の形状及び寸法の相違が、製造誤差、又は、使用損耗による誤差といえる程度である場合、開度調整部４７２及び開度調整部４７４の形状及び寸法が実質的に同一であると判断されてよい。他の実施形態において、ガイド部材４４２及びガイド部材４４４の形状及び寸法の少なくとも一方が相違してもよい。収容ボックス２２２における開度調整部４７２の取付け位置と、収容ボックス２２４における開度調整部４７４の取付け位置は、実質的に同一であってもよく、相違してもよい。両者の相違が製造誤差、又は、使用損耗による誤差といえる程度である場合、両者が実質的に同一であると判断されてよい。
【００６２】
図５は、ガイド部材４４２及び開度調整部４７２の一例を概略的に示す。本実施形態において、ガイド部材４４２は、凹部５０２と、保護部５１２とを備える。凹部５０２は、ガイド部材４４２の端部のうち、周縁部３６２と連結する側の端部（連結端と称する場合がある。）に対向する側の端部（開放端と称する場合がある。）から、連結端に向かって凹形状を有する。凹部５０２の寸法は、例えば、ユーザの手又は腕の一部が入るように決定される。これにより、ガイド部材４４２にモバイルバッテリ２０を載せる操作が容易になる。
【００６３】
本実施形態において、保護部５１２は、凹部５０２の周縁に配される。保護部５１２は、凹部５０２の連結端側の端部に配されてよい。保護部５１２は、例えば、（ｉ）天然ゴム、合成ゴムなどの弾性材料、又は、（ｉｉ）天然繊維、合成繊維、不織布などの柔軟性を有する材料により構成されてよい。これにより、万が一、ユーザの手が、モバイルバッテリ２０及びガイド部材４４２の間に挟まった場合であっても、ユーザの怪我を抑制することができる。
【００６４】
図５に示されるように、本実施形態において、ガイド部材４４２は、開度制限部５２２を備える。開度制限部５２２は、凹部５３２と、１以上の制限部材５４２とを有してもよい。開度制限部５２２は、ガイド部材４４２の開度の最大値を規定することにより、ガイド部材４４２の開度を制限する。開度制限部５２２は、ガイド部材４４２の開度の最小値を規定してもよい。本実施形態において、開度調整部４７２は、リンク部材５５２と、リンク部材５５２から突出する凸部５６２とを有する。リンク部材５５２は、例えば、収容ボックス２２２の壁面に回転可能に連結される。ガイド部材４４４及び開度調整部４７４は、ガイド部材４４２及び開度調整部４７２と同様の構成を有してもよい。
【００６５】
本実施形態において、凹部５３２は、ガイド部材４４２の開放端及び連結端を結ぶ端面に形成される。凹部５３２の内部には、１以上の制限部材５４２と、開度調整部４７２の凸部５６２が配される。１以上の制限部材５４２は、凹部５３２の内部における凸部５６２の動きを制限する。凹部５３２における制限部材５４２の位置を調整することで、ガイド部材４４２の開度の最大値を調整することができる。上記の最大値は、ユーザ又は管理者の指示又は操作により変更されてよい。上記の最大値は、手動により変更されてもよく、制御装置２５０により自動的に変更されてもよい。
【００６６】
図６は、ガイド部材４４２及び開度調整部４７２の他の例を概略的に示す。図６の実施形態におけるガイド部材４４２は、ガイド部材６１２と、ガイド部材６２２とを備える点で、図５の実施形態におけるガイド部材４４２と相違する。図６の実施形態において、２つの開度調整部４７２の一方がガイド部材６１２と連結され、２つの開度調整部４７２の他方がガイド部材６２２と連結される点で、図５の実施形態における開度調整部４７２と相違する。
【００６７】
図７は、収容ボックス７１０の一例を概略的に示す。本実施形態において、収容ボックス７１０は、蓋７４２と、バッテリホルダ７５２と、開度調整部７７２とを備える。また、収容ボックス７１０は、蓋７４４と、バッテリホルダ７５４と、開度調整部７７４とを備える。開度調整部７７２は、開度調整部４７２と同様の構成を有してよい。開度調整部７７４は、開度調整部４７４と同様の構成を有してよい。
【００６８】
蓋７４２及び蓋７４４の一方は、第１蓋部及び第１ガイドの一例であってよい。蓋７４２及び蓋７４４の他方は、第２蓋部及び第１ガイドの一例であってよい。バッテリホルダ７５２及びバッテリホルダ７５４の一方は、第１ガイドの一例であってよい。バッテリホルダ７５２及びバッテリホルダ７５４の他方は、第２ガイドの一例であってよい。
【００６９】
本実施形態において、蓋７４２は、収容ボックス２２２の開口３３２を開閉可能に構成される。本実施形態において、蓋７４２は、一方の端部が、ヒンジなどにより周縁部３６２と回転可能に連結される。なお、蓋７４２の開閉方式は特に制限されない。蓋７４２は前後方向（図中、左右の向きである。）に開閉してもよく、水平方向に開閉してもよい。蓋７４２の開閉方式は、観音開きであってもよい。本実施形態において、蓋７４２は、内側の面にバッテリホルダ７５２を有する。蓋７４２は、上記の点を除いて、ガイド部材４４２と同様の構成を有してよい。
【００７０】
本実施形態において、蓋７４４は、収容ボックス２２４の開口３３４を開閉可能に構成される。本実施形態において、蓋７４４は、一方の端部が、ヒンジなどにより周縁部３６４と回転可能に連結される。なお、蓋７４４の開閉方式は特に制限されない。蓋７４４は前後方向（図中、左右の向きである。）に開閉してもよく、水平方向に開閉してもよい。蓋７４４の開閉方式は、観音開きであってもよい。本実施形態において、蓋７４４は、内側の面にバッテリホルダ７５４を有する。蓋７４４は、上記の点を除いて、ガイド部材４４４と同様の構成を有してよい。
【００７１】
本実施形態において、バッテリホルダ７５２は、モバイルバッテリ２０を保持する。バッテリホルダ７５２は、蓋７４２と、バッテリホルダ７５２に保持されたモバイルバッテリ２０との相対位置を規定してもよい。本実施形態において、バッテリホルダ７５４は、モバイルバッテリ２０を保持する。バッテリホルダ７５４は、蓋７４４と、バッテリホルダ７５４に保持されたモバイルバッテリ２０との相対位置を規定してもよい。バッテリホルダ７５２及びバッテリホルダ７５４の寸法は、相違してもよく、実質的に同一であってもよい。バッテリホルダ７５２及びバッテリホルダ７５４の内面の形状は、相違してもよく、実質的に同一であってもよい。
【００７２】
本実施形態においても、図４〜図６に関連して説明した実施形態と同様、開度調整部７７２及び開度調整部７７４の少なくとも一方は、例えば、蓋７４２及び蓋７４４の回転量が異なるように、対応する蓋の回転量を調整する。そのため、例えば、蓋７４２のガイド位置における姿勢と、蓋７４４のガイド位置における姿勢とが異なる。その結果、モバイルバッテリ２０が収容ボックス２２２に挿入されるときのモバイルバッテリ２０の動線と、モバイルバッテリ２０が収容ボックス２２４に挿入されるときのモバイルバッテリ２０の動線とが異なる。
【００７３】
以上のとおり、蓋７４２及び蓋７４４、並びに、各蓋に取り付けられたバッテリホルダ７５２及びバッテリホルダ７５４は、それぞれ異なる態様で、モバイルバッテリ２０の挿入を補助する。これにより、ユーザは、比較的楽な姿勢で、モバイルバッテリ２０を収容ボックス２２２又は収容ボックス２２４に挿入することができる。その結果、ユーザの肉体的な負担が軽減され得る。
【００７４】
［ガイド部材が並進移動可能に配される実施形態］
図８及び図９を用いて収容ボックス８１０について説明する。図８は、収容ボックス８１０の一例を概略的に示す。図８に示されるとおり、本実施形態において、収容ボックス８１０は、ガイド部材８４２と、スライド量調整部８７２とを備える。また、収容ボックス８１０は、ガイド部材８４４と、スライド量調整部８７４とを備えてもよい。
【００７５】
ガイド部材８４２及びガイド部材８４４の一方は、第１ガイドの一例であってよい。ガイド部材８４２及びガイド部材８４４の他方は、第２ガイドの一例であってよい。スライド量調整部８７２及びスライド量調整部８７４の一方は、第１移動量調整部の一例であってよい。スライド量調整部８７２及びスライド量調整部８７４の他方は、第２移動量調整部の一例であってよい。
【００７６】
本実施形態において、ガイド部材８４２は、少なくとも一部が、周縁部３６２又はその近傍に並進移動可能に配される点で、ガイド部材３４２と相違する。ガイド部材８４２は、例えば任意のスライド機構を利用して、収容ボックス２２２の内面に沿ってスライドしてよい。例えば、ガイド部材８４２は、モバイルバッテリ２０が収容ボックス２２２に挿入される前に、少なくとも一部が、収容ボックス２２２の底面に沿ってスライドし、収容ボックス２２２の内側から外側に移動する。一方、ガイド部材８４２は、モバイルバッテリ２０が収容ボックス２２２に挿入された後、少なくとも一部が、収容ボックス２２２の底面に沿ってスライドし、収容ボックス２２２の外側から内側に移動する。上記の相違点以外について、ガイド部材８４２はガイド部材３４２と同様の構成を有してよい。
【００７７】
本実施形態において、ガイド部材８４４は、少なくとも一部が、周縁部３６４又はその近傍に並進移動可能に配される点で、ガイド部材３４４と相違する。ガイド部材８４４は、例えば任意のスライド機構を利用して、収容ボックス２２４の内面に沿ってスライドしてよい。例えば、ガイド部材８４４は、モバイルバッテリ２０が収容ボックス２２４に挿入される前に、少なくとも一部が、収容ボックス２２４の底面に沿ってスライドし、収容ボックス２２４の内側から外側に移動する。一方、ガイド部材８４４は、モバイルバッテリ２０が収容ボックス２２４に挿入された後、少なくとも一部が、収容ボックス２２４の底面に沿ってスライドし、収容ボックス２２４の外側から内側に移動する。上記の相違点以外について、ガイド部材８４４はガイド部材３４４と同様の構成を有してよい。
【００７８】
一実施形態において、ガイド部材８４２及びガイド部材８４４は、実質的に同一の形状及び寸法を有してもよい。例えば、製造誤差、使用損耗による誤差などを除けば、ガイド部材８４２及びガイド部材８４４の間に、モバイルバッテリ２０の動線に影響を与える箇所の形状及び寸法に相違点がない場合、ガイド部材８４２及びガイド部材８４４の形状及び寸法が実質的に同一であると判断されてよい。他の実施形態において、ガイド部材８４２及びガイド部材８４４の形状及び寸法の少なくとも一方が相違してもよい。
【００７９】
一実施形態において、ガイド部材８４２及びガイド部材８４４は、電気、圧縮空気など動力源として移動又はスライドしてよい。例えば、ガイド部材８４２及びガイド部材８４４は、アクチュエータ、モータなどの動力源を利用して移動又はスライドしてもよい。例えば、センサ２３０が、モバイルバッテリ２０の収容工程が開始されることを検出した場合、制御装置２５０が、上記の動力源を制御して、ガイド部材８４２及びガイド部材８４４を任意の位置までスライドさせる。上記の任意の位置は、予め定められた位置であってもよい。他の実施形態において、ガイド部材８４２及びガイド部材８４４は、開口３３２及び開口３３４に設けられた蓋又は扉の開閉により生じる回転力を利用して移動又はスライドしてよい。ガイド部材８４２及びガイド部材８４４は、例えば、上記の回転力を駆動力に変換する機械的な機構を利用して移動又はスライドしてもよい。機械的な機構としては、動力伝達機構、差動駆動機構などを例示することができる。
【００８０】
本実施形態において、スライド量調整部８７２は、ガイド部材８４２の移動量Ｓ２を調整する。例えば、スライド量調整部８７２は、ガイド部材８４２のスライド可能な範囲を制限する。これにより、ユーザがモバイルバッテリ２０を収容ボックス２２４に挿入するときに、ガイド部材８４２が予め定められた位置に配置される。本実施形態において、スライド量調整部８７４は、ガイド部材８４４の移動量Ｓ４を調整する。例えば、スライド量調整部８７４は、ガイド部材８４４のスライド可能な範囲を制限する。これにより、ユーザがモバイルバッテリ２０を収容ボックス２２４に挿入するときに、ガイド部材８４４が予め定められた位置に配置される。
【００８１】
スライド量調整部８７２及びスライド量調整部８７４の少なくとも一方は、ガイド部材８４２及びガイド部材８４４の移動量が異なるように、対応するガイドの移動量を調整してよい。例えば、（ｉ）ガイド部材及び／又は収容ボックスにおけるスライド量調整部の取り付け位置、（ｉｉ）スライド量調整部の大きさ又は種類、（ｉｉｉ）スライド量調整部の設定、（ｉｖ）制御装置２５０によるスライド量調整部の制御量などを調整することにより、ガイド部材の移動量を調整することができる。スライド量調整部８７２及びスライド量調整部８７４の少なくとも一方は、モバイルバッテリ２０の挿入を補助するために利用できるガイド部材８４２の領域の寸法と、モバイルバッテリ２０の挿入を補助するために利用できるガイド部材８４４の領域の寸法とが異なるように、対応するガイドの移動量を調整してよい。各ガイド部材の移動量は、例えば、各ガイド部材の設置高さに応じて決定される。例えば、ガイド部材の移動量は、当該ガイド部材の設置高さが高くなるほど小さくなる。各ガイドの移動量は、例えば、各ガイドの形状及び大きさの少なくとも一方と、各ガイドの設置高さとに応じて決定されてもよい。
【００８２】
本実施形態において、ガイド部材８４２及びガイド部材８４４の移動量が異なる。そのため、例えば、ガイド部材８４２がガイド位置までスライドした場合に、モバイルバッテリ２０の挿入を補助するために利用できるガイド部材８４２の領域の寸法（例えば、長さ又は面積である。）と、ガイド部材８４４がガイド位置までスライドした場合に、モバイルバッテリ２０の挿入を補助するために利用できるガイド部材８４４の領域の寸法とが異なる。その結果、モバイルバッテリ２０が収容ボックス２２２に挿入されるときのモバイルバッテリ２０の動線と、モバイルバッテリ２０が収容ボックス２２４に挿入されるときのモバイルバッテリ２０の動線とが異なる。
【００８３】
以上のとおり、ガイド部材８４２及びガイド部材８４４は、それぞれ異なる態様で、モバイルバッテリ２０の挿入を補助する。これにより、ユーザは、比較的楽な姿勢で、モバイルバッテリ２０を収容ボックス２２２又は収容ボックス２２４に挿入することができる。その結果、ユーザの肉体的な負担が軽減され得る。
【００８４】
スライド量調整部８７２及びスライド量調整部８７４は、実質的に同一の形状及び寸法を有してもよい。例えば、スライド量調整部８７２及びスライド量調整部８７４の形状及び寸法の相違が、製造誤差、又は、使用損耗による誤差といえる程度である場合、スライド量調整部８７２及びスライド量調整部８７４の形状及び寸法が実質的に同一であると判断されてよい。他の実施形態において、スライド量調整部８７２及びスライド量調整部８７４の形状及び寸法の少なくとも一方が相違してもよい。収容ボックス２２２におけるスライド量調整部８７２の取付け位置と、収容ボックス２２４におけるスライド量調整部８７４の取付け位置は、実質的に同一であってもよく、相違してもよい。両者の相違が製造誤差、又は、使用損耗による誤差といえる程度である場合、両者が実質的に同一であると判断されてよい。
【００８５】
図９は、ガイド部材８４２及びスライド量調整部８７２の一例を概略的に示す。本実施形態において、スライド量調整部８７２は、ガイド部材８４２のスライド量の最大値を規定することにより、スライド量調整部８７２のスライド量を制限する。スライド量調整部８７２は、ガイド部材８４２のスライド量の最小値を規定してもよい。ガイド部材８４４及びスライド量調整部８７４は、ガイド部材８４２及びスライド量調整部８７２と同様の構成を有してもよい。
【００８６】
本実施形態において、スライド量調整部８７２の本体９０２には、開口９３２が形成されている。また、ガイド部材８４２は１以上の凸部９６２を有する。そして、ガイド部材８４２の１以上の凸部９６２は、開口９３２の内部を移動する。ガイド部材８４２における凸部９６２の位置を調整することで、ガイド部材８４２のスライド量の最大値を調整することができる。上記の最大値は、ユーザ又は管理者の指示又は操作により変更されてよい。上記の最大値は、手動により変更されてもよく、制御装置２５０により自動的に変更されてもよい。
【００８７】
［保持方式が異なる実施形態］
図１０は、収容ボックス１０１０の一例を概略的に示す。本実施形態において、収容ボックス１０１０は、ガイド部材８４２と、スライド量調整部８７２と、蓋１０４２と、１０５２とを備える。収容ボックス１０１０は、ガイド部材８４４と、スライド量調整部８７４と、蓋１０４４と、１０５４とを備えてもよい。
【００８８】
蓋１０４２及び蓋１０４４の一方は、第１蓋部及び第１ガイドの一例であってよい。蓋１０４２及び蓋１０４４の他方は、第２蓋部及び第１ガイドの一例であってよい。バッテリホルダ１０５２及びバッテリホルダ１０５４の一方は、第１ガイドの一例であってよい。バッテリホルダ１０５２及びバッテリホルダ１０５４の他方は、第２ガイドの一例であってよい。
【００８９】
本実施形態において、蓋１０４２は、収容ボックス２２２の開口３３２を開閉可能に構成される。蓋１０４２は、ガイド部材８４２の一端と連結されてよい。なお、蓋１０４２の開閉方式は本実施形態に限定されない。蓋１０４２は、蓋７４２と同様の構成を有してよい。本実施形態において、蓋１０４４は、収容ボックス２２４の開口３３４を開閉可能に構成される。蓋１０４４は、ガイド部材８４４の一端と連結されてよい。なお、蓋１０４４の開閉方式は本実施形態に限定されない。蓋１０４４は、蓋７４４と同様の構成を有してよい。
【００９０】
本実施形態において、バッテリホルダ１０５２は、ガイド部材８４２の上に配される。バッテリホルダ１０５４は、ガイド部材８４４の上に配される。例えば、２つのバッテリホルダ１０５４がガイド部材８４４の上に配される。なお、複数のバッテリホルダ１０５２がガイド部材８４２の上に配され、複数のバッテリホルダ１０５４がガイド部材８４４の上に配されてもよい。バッテリホルダ１０５２の個数と、バッテリホルダ１０５４の個数とが、同一であってもよく、相違してもよい。バッテリホルダ１０５２及びバッテリホルダ１０５４のそれぞれは、バッテリホルダ７５２及びバッテリホルダ７５４のそれぞれと同一の構成を有してもよい。
【００９１】
本実施形態において、バッテリホルダ１０５２及びバッテリホルダ１０５４は、モバイルバッテリ２０を異なる態様で保持する。例えば、バッテリホルダ１０５２は、モバイルバッテリ２０を横向きに保持する。より具体的には、バッテリホルダ１０５２は、ハンドル２２が側面となるように、モバイルバッテリ２０を保持する。一方、バッテリホルダ１０５４は、モバイルバッテリ２０を縦向きに保持する。より具体的には、バッテリホルダ１０５４は、ハンドル２２が上面となるように、モバイルバッテリ２０を保持する。
【００９２】
本実施形態によれば、バッテリホルダ１０５２及びバッテリホルダ１０５４は、ユーザが１０を収容ボックス２２２又は収容ボックス２２４に挿入する動作を、収容ボックス２２２及び収容ボックス２２４のそれぞれの高さに応じた態様で補助する。これにより、ユーザは、比較的楽な姿勢で、モバイルバッテリ２０を収容ボックス２２２又は収容ボックス２２４に挿入することができる。その結果、ユーザの肉体的な負担が軽減され得る。
【００９３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【００９４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９５】
１０  蓄電池、２０  モバイルバッテリ、２２  ハンドル、１００  収容装置、１２２  第１収容部、１２４  第２収容部、１３２  第１開口、１３４  第２開口、１４２  第１ガイド、１４４  第２ガイド、１６２  周縁部、１６４  周縁部、２００  バッテリステーション、２０２  筐体、２１０  収容ボックス、２２２  収容ボックス、２２４  収容ボックス、２３０  センサ、２４０  充電装置、２５０  制御装置、３３２  開口、３３４  開口、３４２  ガイド部材、３４４  ガイド部材、３６２  周縁部、３６４  周縁部、４１０  収容ボックス、４４２  ガイド部材、４４４  ガイド部材、４７２  開度調整部、４７４  開度調整部、５０２  凹部、５１２  保護部、５２２  開度制限部、５３２  凹部、５４２  制限部材、５５２  リンク部材、５６２  凸部、６１２  ガイド部材、６２２  ガイド部材、７１０  収容ボックス、７４２  蓋、７４４  蓋、７５２  バッテリホルダ、７５４  バッテリホルダ、７７２  開度調整部、７７４  開度調整部、８１０  収容ボックス、８４２  ガイド部材、８４４  ガイド部材、８７２  スライド量調整部、８７４  スライド量調整部、９０２  本体、９３２  開口、９６２  凸部、１０１０  収容ボックス、１０４２  蓋、１０４４  蓋、１０５２  バッテリホルダ、１０５４  バッテリホルダ
【図１】
2018160417.tif 000003
【図２】
2018160417.tif 000004
【図３】
2018160417.tif 000005
【図４】
2018160417.tif 000006
【図５】
2018160417.tif 000007
【図６】
2018160417.tif 000008
【図７】
2018160417.tif 000009
【図８】
2018160417.tif 000010
【図９】
2018160417.tif 000011
【図１０】
2018160417.tif 000012